【手続補正書】
【提出日】平成19年4月4日(2007.4.4)
【手続補正１】
【補正対象書類名】特許請求の範囲
【補正対象項目名】全文
【補正方法】変更
【補正の内容】
【特許請求の範囲】
【請求項１】
データのダウンロード要求があると、要求のあったコンピュータにデータをダウンロードするサーバ、
前記サーバにネットワーク接続された複数のコンピュータ、
を備えたデータ送受信システムであって、
前記サーバは、送信要求を送信した各コンピュータに、複数のコンピュータからのダウンロード要求が送られてくる時刻を一定期間内に分散させるためのダウンロード要求遅延プログラムを、送信し、
前記ダウンロード要求遅延プログラムを受信したコンピュータは、当該ダウンロード要求遅延プログラムに基づいてダウンロード要求送信の時刻を決定し、決定した時刻に前記サーバにダウンロード要求を送信すること、
を特徴とするデータ送受信システム。
【請求項２】
データのダウンロード要求があると、要求のあったコンピュータにデータをダウンロードするサーバであって、
送信要求を送信した各コンピュータに、複数のコンピュータからのダウンロード要求が送られてくる時刻を一定期間内に分散させるためのダウンロード要求遅延プログラムを送信し、
ダウンロード要求遅延プログラムに基づいてダウンロード要求を送信してきたコンピュータに対してデータのダウンロードを行うこと、
を特徴とするサーバ。
【請求項３】
前記ダウンロード要求遅延プログラムは、初回のダウンロードを要求する時刻を決める情報と、サーバとの間でダウンロード通信が成立しなかった場合に、２回目以降再試行通信を行うための再試行情報とが含まれていること、
を特徴とする請求項２記載のサーバ。
【請求項４】
前記初回のダウンロードを要求する時刻を決める情報に基づいてランダム演算して特定する請求項２または請求項３記載のサーバ。
【請求項５】
前記サーバからダウンロードされるデータはコンテンツデータであることを特徴とする請求項２記載のサーバ。
【請求項６】
データのダウンロード要求があると、要求のあったコンピュータにデータをダウンロードするサーバに接続されるコンピュータであって、
前記サーバに前記ダウンロード要求を送信し、
前記サーバより送られてくる、複数のコンピュータからのダウンロード要求が送られてくる時刻を一定期間内に分散させるためのダウンロード要求遅延プログラムを受けとると、当該ダウンロード要求遅延プログラムに基づいてダウンロード要求送信の時刻を決定し、決定した時刻にサーバにダウンロード要求を送信すること、
を特徴とするコンピュータ。  
【請求項７】
前記ダウンロード要求遅延プログラムは、初回のダウンロードを要求する時刻を決める情報と、サーバとの間でダウンロード通信が成立しなかった場合に、２回目以降再試行通信を行うための再試行情報とが含まれていること、
を特徴とする請求項５記載のコンピュータ。
【請求項８】
前記初回のダウンロードを要求する時刻を決める情報に基づいてランダム演算して特定する請求項５または請求項６記載のコンピュータ。
【請求項９】
データのダウンロード要求があると、要求のあったコンピュータにデータをダウンロードするサーバ、
前記サーバにネットワーク接続された複数のコンピュータ、
を用いたデータ送受信方法であって、
前記サーバは、送信要求を送信した各コンピュータに、複数のコンピュータからのダウンロード要求が送られてくる時刻を一定期間内に分散させるためのダウンロード要求遅延プログラムを送信し、
前記ダウンロード要求遅延プログラムを受信したコンピュータは、当該ダウンロード要求遅延プログラムに基づいてダウンロード要求送信の時刻を決定し、決定した時刻に前記サーバにダウンロード要求を送信すること、
を特徴とするデータ送受信方法。
【請求項１０】
データのダウンロード要求があると、要求のあったコンピュータに当該データをダウンロードさせる処理をサーバに実行させるためのプログラムであって、
前記サーバは、
送信要求を送信した各コンピュータに、複数のコンピュータからのダウンロード要求が送られてくる時刻を一定期間内に分散させるためのダウンロード要求遅延プログラムを送信し、
ダウンロード要求遅延プログラムに基づいてダウンロード要求を送信してきたコンピュータに対してデータのダウンロードを行うこと、
を特徴とするプログラム。
【手続補正２】
【補正対象書類名】明細書
【補正対象項目名】０００６
【補正方法】変更
【補正の内容】
【０００６】
１）請求項１にかかるデータ送受信システムは、データのダウンロード要求があると、要求のあったコンピュータにデータをダウンロードするサーバと、前記サーバにネットワーク接続された複数のコンピュータと、を備えたデータ送受信システムであって、前記サーバは、送信要求を送信した各コンピュータに、複数のコンピュータからのダウンロード要求が送られてくる時刻を一定期間内に分散させるためのダウンロード要求遅延プログラムを、送信し、前記ダウンロード要求遅延プログラムを受信したコンピュータは、当該ダウンロード要求遅延プログラムに基づいてダウンロード要求送信の時刻を決定し、決定した時刻に前記サーバにダウンロード要求を送信する。
したがって、ダウンロード要求とダウンロード処理を異なる時期に実行することができる。これにより、ダウンロード要求が集中することを防止することができる。
【手続補正３】
【補正対象書類名】明細書
【補正対象項目名】０００７
【補正方法】変更
【補正の内容】
【０００７】
２）請求項２にかかるサーバは、データのダウンロード要求があると、要求のあったコンピュータにデータをダウンロードするサーバであって、送信要求を送信した各コンピュータに、複数のコンピュータからのダウンロード要求が送られてくる時刻を一定期間内に分散させるためのダウンロード要求遅延プログラムを送信し、ダウンロード要求遅延プログラムに基づいてダウンロード要求を送信してきたコンピュータに対してデータのダウンロードを行う。
したがって、ダウンロード要求とダウンロード処理を異なる時期に実行することができる。これにより、ダウンロード要求が集中することを防止することができる。
【手続補正４】
【補正対象書類名】明細書
【補正対象項目名】０００８
【補正方法】変更
【補正の内容】
【０００８】
３）請求項３にかかるサーバにおいては、前記ダウンロード要求遅延プログラムは、初回のダウンロードを要求する時刻を決める情報と、サーバとの間でダウンロード通信が成立しなかった場合に、２回目以降再試行通信を行うための再試行情報とが含まれている。したがって、初回の時刻および２回目以降再試行通信を行うための再試行情報を決定することができる。
【手続補正５】
【補正対象書類名】明細書
【補正対象項目名】０００９
【補正方法】変更
【補正の内容】
【０００９】
４）請求項４にかかるサーバは、初回のダウンロードを要求する時刻を、前記初回のダウンロードを要求する時刻を決める情報に基づいてランダム演算して特定する。したがって、初回のダウンロードを要求する時刻を決める情報が同じであっても、分散させることができる。
【手続補正６】
【補正対象書類名】明細書
【補正対象項目名】００１０
【補正方法】変更
【補正の内容】
【００１０】
５）請求項４にかかるサーバは、前記サーバからダウンロードされるデータはコンテンツデータである。したがって、コンテンツデータの配信要求が集中した場合でも、分散させてダウンロードさせることができる。
【手続補正７】
【補正対象書類名】明細書
【補正対象項目名】００１１
【補正方法】変更
【補正の内容】
【００１１】
６）請求項４にかかるコンピュータは、データのダウンロード要求があると、要求のあったコンピュータにデータをダウンロードするサーバに接続されるコンピュータであって、前記サーバに前記ダウンロード要求を送信し、前記サーバより送られてくる、複数のコンピュータからのダウンロード要求が送られてくる時刻を一定期間内に分散させるためのダウンロード要求遅延プログラムを受けとると、当該ダウンロード要求遅延プログラムに基づいてダウンロード要求送信の時刻を決定し、決定した時刻にサーバにダウンロード要求を送信する。
したがって、前記ダウンロード要求遅延プログラムに基づいてダウンロード要求送信の時刻を決定することができる。これにより、決定した時刻にサーバにダウンロード要求をすることができる。
【手続補正８】
【補正対象書類名】明細書
【補正対象項目名】００１２
【補正方法】変更
【補正の内容】
【００１２】
７）請求項７にかかるコンピュータにおいては、前記ダウンロード要求遅延プログラムは、初回のダウンロードを要求する時刻を決める情報と、サーバとの間でダウンロード通信が成立しなかった場合に、２回目以降再試行通信を行うための再試行情報とが含まれている。したがって、初回の時刻および２回目以降再試行通信を行うための再試行情報を決定することができる。
【手続補正９】
【補正対象書類名】明細書
【補正対象項目名】００１３
【補正方法】変更
【補正の内容】
【００１３】
８）請求項７にかかるコンピュータにおいては、初回のダウンロードを要求する時刻を、前記初回のダウンロードを要求する時刻を決める情報に基づいてランダム演算して特定する。したがって、初回のダウンロードを要求する時刻を決める情報が同じであっても、分散させることができる。
【手続補正１０】
【補正対象書類名】明細書
【補正対象項目名】００１４
【補正方法】変更
【補正の内容】
【００１４】
９）請求項９にかかるデータ送受信方法は、データのダウンロード要求があると、要求のあったコンピュータにデータをダウンロードするサーバ、前記サーバにネットワーク接続された複数のコンピュータ、を用いたデータ送受信方法であって、前記サーバは、送信要求を送信した各コンピュータに、複数のコンピュータからのダウンロード要求が送られてくる時刻を一定期間内に分散させるためのダウンロード要求遅延プログラムを、送信し、前記ダウンロード要求遅延プログラムを受信したコンピュータは、当該ダウンロード要求遅延プログラムに基づいてダウンロード要求送信の時刻を決定し、決定した時刻に前記サーバにダウンロード要求を送信する。
したがって、ダウンロード要求とダウンロード処理を異なる時期に実行することができる。これにより、ダウンロード要求が集中することを防止することができる。
【手続補正１１】
【補正対象書類名】明細書
【補正対象項目名】００１５
【補正方法】変更
【補正の内容】
【００１５】
１０）請求項１０にかかるプログラムは、データのダウンロード要求があると、要求のあったコンピュータに当該データをダウンロードさせる処理をサーバに実行させるためのプログラムであって、前記サーバは、送信要求を送信したコンピュータに、複数のコンピュータからのダウンロード要求が送られてくる時刻を一定期間内に分散させるためのダウンロード要求遅延プログラムを送信し、ダウンロード要求遅延プログラムに基づいてダウンロード要求を送信してきたコンピュータに対してデータのダウンロードを行う。したがって、ダウンロード要求とダウンロード処理を異なる時期に実行することができる。これにより、ダウンロード要求が集中することを防止することができる。
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】削除
【補正の内容】
【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】削除
【補正の内容】
【手続補正２８】
【補正対象書類名】明細書
【補正対象項目名】００３２
【補正方法】削除
【補正の内容】
【手続補正２９】
【補正対象書類名】明細書
【補正対象項目名】００３３
【補正方法】削除
【補正の内容】
【手続補正３０】
【補正対象書類名】明細書
【補正対象項目名】００３４
【補正方法】削除
【補正の内容】
【手続補正３１】
【補正対象書類名】明細書
【補正対象項目名】００３５
【補正方法】削除
【補正の内容】
【手続補正３２】
【補正対象書類名】明細書
【補正対象項目名】００３６
【補正方法】削除
【補正の内容】
【手続補正３３】
【補正対象書類名】明細書
【補正対象項目名】００３７
【補正方法】削除
【補正の内容】
【手続補正３４】
【補正対象書類名】明細書
【補正対象項目名】００３８
【補正方法】削除
【補正の内容】
【手続補正３５】
【補正対象書類名】明細書
【補正対象項目名】００３９
【補正方法】削除
【補正の内容】